(57)【要約】【課題】トレイ搬送方式のディスク駆動装置でも、ターンテーブルの下方に配置される電気回路基板の実装部品をはじめとする発熱体を効率よく空冷できるようにする。【解決手段】モータ１８で回転駆動されるターンテーブル９と該ターンテーブル９に対向するクランプ盤１２とでディスクＤの中心部をクランプして該ディスクＤを回転させる構成のディスク駆動装置である。モータ１８の外周部を覆う筒状のフード部１９を有し、ターンテーブル９及びクランプ盤１２には、ディスクＤのクランプ時に該ディスクＤの中心孔の内側となる位置でフード部１９内に通じる貫通孔１１，１７が穿設される。ターンテーブル９とクランプ盤１２がディスクＤを介して回転するとき、貫通孔１１，１７を通じてフード部１９内に向かう気流が発生し、その空気がフード部１９とモータ１８の外周部との間に形成される通風路２２を通ってターンテーブル９の反対側に流出する。【選択図】図８
2007323748.tif 000002
【特許請求の範囲】
【請求項１】
モータにより回転駆動されるターンテーブルと該ターンテーブルに対向するクランプ盤とによりディスクの中心部をクランプして該ディスクを回転させる構成のディスク駆動装置において、
前記モータの外周部を覆う筒状のフード部と、
前記ターンテーブルと前記クランプ盤とに穿設され、その両者によるディスクのクランプ時に該ディスクの中心孔の内側となる位置で前記フード部内に連通する貫通孔と、
前記ターンテーブルと前記クランプ盤とがディスクを介して回転するときに前記貫通孔を通じて前記フード部内に向かう気流を発生させる気流発生部と、
前記フード部と前記モータの外周部との間に形成され、前記気流発生部により前記フード部内に導入された空気を前記ターンテーブルの反対側に流出させる通風路と、
を有することを特徴とするディスク駆動装置。
【請求項２】
前記クランプ盤を回転自在に保持する外装板を有し、その外装板には前記クランプ盤の配置部分を覆うフィルタ部材が設けられることを特徴とする請求項１記載のディスク駆動装置。
【発明の詳細な説明】
【技術分野】
【０００１】
本発明は、光ディスクや光磁気ディスクといった円盤状の情報記録媒体（ディスク）に楽曲などの情報を記録したり、その記録情報を再生したりするのに用いられるディスク駆動装置に係わり、特に装置内の広範囲に高速空気流を発生させて、内蔵される電気回路基板などを効率よく冷却できるようにしたディスク駆動装置に関する。
【背景技術】
【０００２】
係るディスク駆動装置は、ディスクの中心部をクランプするターンテーブルとクランプ盤、ならびにディスクの盤面に沿ってその半径方向に移動する光ピックアップなどを有して構成されるが、装置内にはターンテーブルの回転駆動用モータをはじめ、各種モータやそのドライバＩＣのほか、ＬＳＩやレーザダイオードといった多くの発熱体が存在する。
【０００３】
発熱体であるレーザダイオードやドライバＩＣは、使用環境の温度が定められており、温度が上限を超えた場合にはサーマルシャットダウン機能が働いて動作が停止するようになっているが、これによれば装置内温度が低下するまで装置が使用不能になってしまうばかりでなく、装置内の高温化によって装置品質が劣化してしまうという問題がある。
【０００４】
ここに、係るディスク駆動装置として、ターンテーブルに対向するクランプ盤（クランパ）にその上面から下部側面に通じる連通孔を穿設し、その連通孔を通じてディスク上に空気が供給されるようにしたものが知られる（例えば、特許文献１）。
【０００５】
又、ターンテーブルとクランプ盤（クランパ）に貫通孔を形成すると共に、ターンテーブルの下面に羽根部を設け、ディスクの回転時にクランプ盤上の冷気が貫通孔を通じて羽根部からディスクの半径外周方向に送風されるようにしたものが知られる（例えば、特許文献２）。
【０００６】
【特許文献１】特開２００３−１９６９０４号公報（段落００２４、図６）
【０００７】
【特許文献２】特開２００５−３３９７３６号公報（段落００２９〜００３５、図３）
【発明の開示】
【発明が解決しようとする課題】
【０００８】
しかしながら、特許文献１は装置内の冷却を目的とするものでなく、ディスクを安定状態で高速回転させることを意図してディスクの片面（クランプ盤側の面）上に負圧の発生を抑制する気流が発生するようにしているので、外部から取り込まれた空気はディスクによってターンテーブル側の領域への流入を遮られてしまう。このため、ターンテーブル下方領域に配置されるターンテーブル駆動用モータや電気回路基板の実装部品を効果的に冷却することができない。
【０００９】
特に、ディスクをトレイに載せて搬送する構造のディスク駆動装置では、そのトレイによっても流入空気が遮断されてしまうので装置内の冷却効果は殆ど期待できない。
【００１０】
又、特許文献２では、ターンテーブルと略同一平面上に位置する光ピックアップを冷却することはできても、貫通孔からの流入空気はディスクの盤面に沿って流れるので、特許文献１と同じく、ターンテーブルの下方に配置されるターンテーブル駆動用モータや電気回路基板の冷却効果は低い。
【００１１】
本発明は以上のような事情に鑑みて成されたものであり、その目的はトレイ搬送方式のディスク駆動装置でも、ターンテーブルの下方に配置される電気回路基板の実装部品をはじめとする発熱体を効率よく冷却（空冷）できるようにすることにある。
【課題を解決するための手段】
【００１２】
本発明は上記目的を達成するため、
モータ１８により回転駆動されるターンテーブル９と該ターンテーブル９に対向するクランプ盤１２とによりディスクＤの中心部をクランプして該ディスクＤを回転させる構成のディスク駆動装置において、
モータ１８の外周部を覆う筒状のフード部１９と、
ターンテーブル９とクランプ盤１２とに穿設され、その両者９，１２によるディスクＤのクランプ時に該ディスクＤの中心孔の内側となる位置でフード部１９内に連通する貫通孔１１，１７と、
ターンテーブル９とクランプ盤１２とがディスクＤを介して回転するときに貫通孔１１，１７を通じてフード部１９内に向かう気流を発生させる気流発生部（傾斜面１７Ａ）と、
フード部１９とモータ１８の外周部との間に形成され、気流発生部（傾斜面１７Ａ）によりフード部１９内に導入された空気をターンテーブル９の反対側に流出させる通風路２２と、
を有することを特徴とする。
【００１３】
加えて、クランプ盤１２を回転自在に保持する外装板３を有し、その外装板３にはクランプ盤１２の配置部分（開口部４）を覆うフィルタ部材５が設けられることを特徴とする。
【発明の効果】
【００１４】
本発明によれば、ターンテーブルを回転駆動させるモータの外周部を覆う筒状のフード部を有し、ターンテーブル及びクランプ盤にはフード部内に通じる貫通孔が形成され、フード部とモータの外周部との間がディスクを支持したターンテーブルの回転駆動により貫通孔を通じてフード部内に導かれる空気をターンテーブルの反対側に流出させるための通風路とされていることから、トレイ搬送方式のディスク駆動装置でもトレイにより空気流が遮られず、ターンテーブルの下方領域に配置される電気回路基板の実装部品などを効果的に空冷することができる。
【００１５】
特に、クランプ盤からフード部内に取り込まれた冷却空気は、モータの内部でなくその外周部に沿って流れるのでモータの熱により高温状態に加熱されず、低温状態のままフード部の一端開口部分より流下するために対向する電気回路基板の冷却効率が上がる。
【００１６】
しかも、フード部とモータの外周部との間に形成される通風路は、モータの周方向に形成される幅の狭いリング状の形態となり、これによって冷却空気の流速が上がり、しかもモータの周囲から高速の冷却空気が平均して吹き出すようになるので、広い範囲を効率よく空冷することが可能となる。
【００１７】
又、クランプ盤が外装板に回転自在に保持されると共に、その外装板にはクランプ盤の配置部分を覆うフィルタ部材が設けられることから、そのフィルタ部材により装置内に取り込まれる空気中の塵埃を捕捉して装置内の汚損を防止することができる。
【発明を実施するための最良の形態】
【００１８】
以下、図面に基づき本発明を詳しく説明する。図１は本発明に係るディスク駆動装置を概略的に示した斜視外観図である。
【００１９】
図１において、１は本装置の外装を成す筐体であり、この筐体１は箱型の下部構造体２とその上部に設けられる外装板３（天板）とで構成される。特に、外装板３には後述するクランプ盤を回転自在に保持する吸気口兼用の開口部４が形成され、その開口部４が不織布などから成るフィルタ部材５（エアフィルタ）により覆われる構成としてある。尚、フィルタ部材５は、適宜交換できるように図示せぬ保持枠などを介して外装板３にネジ止めされるが、これを接着剤などで固定するようにしてもよい。
【００２０】
又、図１において、６はディスクを搬送するためのトレイであり、このトレイ６は図示せぬトレイ送り機構により図示矢印方向に移動され、これが図１の如く筐体１内に引き込まれたときには該トレイ６に載せたＣＤやＤＶＤといったディスクの中心部が後述するターンテーブル及びクランプ盤の同軸上に位置するようになっている。
【００２１】
図２は、本装置の内部構造を示す平面概略図である。図２において、７は筐体１に内蔵されるドライブユニット（一般にトラバースメカと呼ばれる）であり、このドライブユニット７は、ベースプレート８に上述のターンテーブル９や光ピックアップ１０を装置して構成される。ターンテーブル９は、ディスクの中心部を支持して該ディスクを一方向に回転させるための部品で、ディスクの中心孔に嵌め込まれるボス部９Ａには複数（本例において３つ）の貫通孔１１が同一円周上に形成される。尚、このターンテーブル９と対向する位置において、図１に示した外装板３に上述のクランプ盤１２が設けられ、ディスクを回転させるときにはターンテーブル９とクランプ盤１２とによりディスクの中心部がクランプされるようになっている。
【００２２】
一方、光ピックアップ１０は、ターンテーブル９により支持されたディスクの半径方向に移動しながらディスクの記録情報を読み出したり、情報の書き込みを行ったりするための電子部品ユニットであり、これはディスクの盤面に照射すべき光を発生するレーザダイオードなどの発光素子や、ディスクからの反射光を受け取る受光素子などを具備して構成される。
【００２３】
尚、図２において、１３は光ピックアップの移動案内をするガイド軸、１４はガイド軸１３に平行して設けられる送りねじ、１５は送りねじ１４を回転させるピックアップ駆動モータであり、このモータ１５で送りねじ１４を回転させることにより光ピックアップ１０がディスクの半径方向に移動するようになっている。
【００２４】
次に、図３〜図６によりクランプ盤について説明する。図３はクランプ盤の底面図、図４はクランプ盤の平面図、図５は図４におけるＸ−Ｘ断面であり、図６には同クランプ盤の装置状態を示す。これらの図で明らかなように、クランプ盤１２はその底面側に突出するボス部１２Ａと該ボス部１２Ａの周縁に連なる鍔部１２Ｂとを有する円盤型であり、その大部分は合成樹脂にて形成され、底面中心部分には図３のように円形の磁性板１６が嵌め付けられる。
【００２５】
又、図３〜図５から明らかなように、クランプ盤１２にはボス部１２Ａの位置でその厚さ方向に貫通する円弧状の貫通孔１７が同一円周上に複数（本例において３つ）形成される。特に、それら貫通孔１７におけるクランプ盤１２の回転方向側の一端は、気流発生部をなす傾斜面１７Ａとされる。これによれば、クランプ盤１２がターンテーブル９の回転力を受けて図３〜図４の矢印方向に回転されるとき、各貫通孔１７内にクランプ盤１２の上面側から底面側に抜ける気流を発生させることができるが、係る気流の発生を促進するため、クランプ盤１２の上面側において各貫通孔１７の傾斜面１７Ａとは逆側の一端部分に気流発生部をなす図示せぬ案内羽根を形成してもよい。
【００２６】
そして、係るクランプ盤１２は、図６のようにボス部１２Ａを下向きにして、外装板３に形成される開口部４内に遊嵌されて回転自在に保持されるようになっている。尚、開口部４はクランプ盤１２の鍔部１２Ｂの周縁部分を支持する段部４Ａを有すると共に、開口部４を覆うフィルタ部材５はクランプ盤１２の抜け止めとしても機能する。
【００２７】
次に、図７において、１８はターンテーブル９を回転駆動させるためのモータ（スピンドルモータ）であり、そのロータ軸１８Ａにターンテーブル９が固着される。同図で明らかなように、ターンテーブル９にもボス部９Ａの位置で厚さ方向に貫通する上記貫通孔１１が形成される。又、ターンテーブル９の底面側（クランプ盤の反対側の面）には貫通孔１１の開口部分より外側で円筒状のフード部１９が一体に形成されており、そのフード部１９によりモータ９の外周部が覆われるようにしてある。
【００２８】
尚、図ではモータ１８の外周部の上部側のみフード部１９で覆われた状態を示しているが、そのフード部１９によりモータ１８の外周部の下部側も覆われるようにしてもよい。又、図７において、２０はターンテーブル９の上面（クランプ盤に対向する面）に貼付されるリング状のスリップ防止部材（例えば、ゴム）、２１はターンテーブル９の中心部分に設けられるマグネットであり、このマグネット２１はクランプ盤１２の磁性板１６（図３参照）に作用してターンテーブル９とクランプ盤１２を強固に結合する働きをする。
【００２９】
図８は、ターンテーブル９とクランプ盤１２の結合によりその両者間にディスクＤの中心部が挟み込まれた状態を示す。尚、図８では上記磁性板１６を省略している。この図で明らかなように、クランプ盤１２に形成した貫通孔１７とターンテーブル９に形成した貫通孔１１は、それぞれ対応する位置（ターンテーブル９とクランプ盤１２とによるディスクＤのクランプ時にディスクＤの中心孔の内側となる位置）にあって互いに連通し、且つフード部１９内に対しても連通するようになっている。特に、フード部１９の内周部とモータ１８の外周部との間には貫通孔１１，１７よりも幅の狭い空隙が形成され、その空隙が空気の通過を許容する通風路２２とされている。
【００３０】
しかして、ディスクＤを支持したターンテーブル９がモータ１８の動力を得て所定の一方向に回転駆動すると、これに結合したクランプ盤１２が同方向に連動回転し、このとき貫通孔１１，１７を通じてクランプ盤１２側からフード部１９内に流れ込む気流が発生し、フード部１９内に流れ込んだ空気（装置外部から取り込まれる冷却空気）がモータ１８の外周部に沿って通風路２２内を進行しながら流速を上げられ、これがフード部１９の一端（下端）開口部分よりターンテーブル９の反対側に流出される。
【００３１】
これによれば、モータ１８を冷却する効果が得られるが、冷却空気はモータ１８の内部でなく外周部に沿って流れるので、モータ１８との熱交換による大幅な温度上昇は抑制され、比較的低温の状態のままモータ１８の下方に吹き出して周囲に拡散する。又、通風路２２のエジェクタ効果（通風路２２で空気の流速が上げられ、その空気が高速で通風路２２から吹き出すことで該高速空気流の周囲に負圧が発生すること）により、フード部１９から吹き出す空気にフード部１９の回りの空気も引き込まれるようになるので、装置内に大きな空気流を生じさせることができる。尚、図８の矢印は空気の流れを示す。
【００３２】
次に、図９に基づいて本発明に係るディスク駆動装置の動作説明をする。尚、図９において、２３は筐体１内の底部に配置される電気回路基板であり、この基板２３にはモータ１８などの制御を行うための制御回路を構成するＩＣチップその他の電子部品（発熱体）が実装される。又、２４は筐体１の背面側に設けた排気ファンである。
【００３３】
ここで、トレイ６に載せられて筐体１内に搬入されたディスクＤは、その中心部がターンテーブル９と同軸上となるドライブ位置に位置付けられる。
【００３４】
ディスクＤがドライブ位置に位置付けられると、ドライブユニット７が図示せぬユニット昇降機構により上昇され、これによってターンテーブル９とクランプ盤１２とによりディスクＤの中心部がクランプされる（挟み込まれる）ようになる。尚、図９にはターンテーブル９とクランプ盤１２でクランプされたディスクＤがトレイ６に接触しているようにみえるが、実際にはディスクＤのクランプ時において、ディスクＤはトレイ６上に若干浮上されてトレイ６とは非接触となる。又、このときクランプ盤１２も若干浮上するが、クランプ盤１２がフィルタ部材５に接触せぬよう開口部４の高さが設定されている。
【００３５】
しかして、モータ１８が起動すると、ターンテーブル９、クランプ盤１２、及びその両者に挟まれたディスクＤが回転し、これと同時に光ピックアップ１０がディスクＤの半径方向に移動しながらディスクＤに記録された情報の読み出しなどを行う。
【００３６】
又、このとき上述の如くクランプ盤１２からターンテーブル９側に向かう気流が発生するために、フィルタ部材５を通じて筐体１外部の空気が筐体１内に引き込まれ、その空気が図８に示した貫通孔１１，１７を通じてフード部１９内に流入し、これがモータ１８の外周部に沿ってその下方に高速状態で吹き出される。その後、その空気は電気回路基板２３に沿って流れ、最終的に排気ファン２４を通じて筐体１外部に排出される。
【００３７】
従って、本発明に係るディスク駆動装置によれば、モータ１８のほか、発熱の著しい電気回路基板２３などを効率よく冷却することができ、このためディスクＤをドライブして情報の記録／再生を行っている最中にサーマルシャットダウン機能が働いて装置が使用不能状態に陥ってしまったり、装置品質が短期間で熱劣化してしまったりすることがなく、しかもフィルタ部材５により塵埃を捕捉して筐体１内が汚損されるのを防止することができる。
【００３８】
以上、本発明について説明したが、係る装置はトレイを備えるものに限らず、ディスクをローラで搬送する方式、あるいは手動でターンテーブル上にセットする方式のＣＤプレーヤ、ＤＶＤレコーダ、その他のディスク駆動装置に適用できる。
【００３９】
又、クランプ盤を外装板に設けるのでなく、係るクランプ盤をターンテーブルと対向する位置で図示せぬ揺動アームの先端に取り付け、その揺動アームの作動によりディスクのクランプが行われるようにしてもよい。
【図面の簡単な説明】
【００４０】
【図１】本発明に係るディスク駆動装置を示す斜視外観図
【図２】同装置の内部構造を示す平面概略図
【図３】クランプ盤の底面図
【図４】クランプ盤の平面図
【図５】図４のＸ−Ｘ断面図
【図６】クランプ盤の配置部分を示す断面図
【図７】ターンテーブルとその駆動用モータを示す部分断面図
【図８】ターンテーブルとクランプ盤とでディスクを挟み込んだ状態を示す部分断面図
【図９】本発明に係るディスク駆動装置の動作説明図
【符号の説明】
【００４１】
１  筐体
２  下部構造体
３  外装板
４  開口部（クランプ盤の配置部分）
５  フィルタ部材
６  トレイ
９  ターンテーブル
１０  光ピックアップ
１１  貫通孔
１２  クランプ盤
１７  貫通孔
１７Ａ  傾斜面（気流発生部）
１８  モータ
１９  フード部
２２  通風路
２３  電気回路基板
２４  排気ファン
【図１】
2007323748.tif 000003
【図２】
2007323748.tif 000004
【図３】
2007323748.tif 000005
【図４】
2007323748.tif 000006
【図５】
2007323748.tif 000007
【図６】
2007323748.tif 000008
【図７】
2007323748.tif 000009
【図８】
2007323748.tif 000010
【図９】
2007323748.tif 000011